(57)【要約】      （修正有）【課題】山留め工事の作業効率を向上可能であり汎用性を有する横矢板挿入機具を提供する。【解決手段】山留め工事において、互いに隣接する一対の縦字の間に挿入された横矢板２００を押し下げる横矢板挿入機具１であって、垂直方向に延びて横矢板２００の前面側に配置される―対の前部材１０と、垂直方向に延びて、横矢板２００の裏面側に配置され、水平方向において、―対の前部材１０の間に配置される後部材２０と、―対の前部材１０及び後部材２０の下端から上方に所定寸法離れた位置において水平方向に延び、―対の前部材１０及び後部材２０の間に配置され、―対の前部材１０及び後部材２０に固定された横部材３０と、を備え、―対の前部材１０と後部材２０との間に複数の横矢板２００が挿入され、一番上の横矢板２００の天端に横部材３０が当接する横矢板挿入機具１。【選択図】図１
2016156157.tif 000002
【特許請求の範囲】
【請求項１】
山留め工事において、互いに隣接する一対の縦字の間に挿入された横矢板を押し下げる横矢板挿入機具であって、垂直方向に延びて横矢板の前面側に配置される―対の前部材と、垂直方向に延びて、横矢板の裏面側に配置され、水平方向において、―対の前部材の間に配置される後部材と、―対の前部材及び後部材の下端から上方に所定寸法離れた位置において水平方向に延び、―対の前部材及び後部材の間に配置され、―対の前部材及び後部材に固定された横部材と、を備え、―対の前部材と後部材との間に複数の横矢板が挿入され、一番上の横矢板の天端に横部材が当接する横矢板挿入機具。                                                                      
【発明の詳細な説明】
【技術分野】
【０００１】
本発明は、山留め工事に、おいて、互いに隣接する一対の縦字の間に挿入された横矢板を押し下げる横矢板挿入機具に関する。      
【背景技術】
【０００２】
従来、土留め工事で使用される横矢板として、特許文献1には、鋼製矢板本体に、開口穴を設け下方にフランジに取り付けパワーショベル等にて押し下げる技術が開示されている。                                                                
【先行技術文献】
【特許文献】
【０００３】
【特許文献１】実登3009414号公報
【発明の概要】
【発明が解決しようとする課題】
【０００４】
しかしながら、特許文献1の横矢板は開口穴を設けたり、専用のジョイントを用いなければならず，一般的な木製の横矢板に適用することができず、汎用性がない。                                                            
【０００５】
本発明は、山留め工事の作業効率を向上可能であり汎用性を有する横矢板挿入機具を提供することを目的とする。          
【課題を解決するための手段】
【０００６】
山留め工事において、互いに隣接する一対の縦字の間に挿入された横矢板を押し下げる横矢板挿入機具であって、垂直方向に延びて横矢板の前面側に配置される―対の前部材と、垂直方向に延びて、横矢板の裏面側に配置され、水平方向において、―対の前部材の間に配置される後部材と、―対の前部材及び後部材の下端から上方に所定寸法離れた位置において水平方向に延び、―対の前部材及び後部材の間に配置され、―対の前部材及び後部材に固定された横部材と、を備え、―対の前部材と後部材との間に複数の横矢板が挿入され、一番上の横矢板の天端に横部材が当接する横矢板挿入機具。                                      
【発明の効果】
【０００７】
本発明によれば、山留め工事の作業効率を向上可能であり、汎用性を有する横矢板挿入機具を提供できる。
【図面の簡単な説明】
【０００８】
【図１】本発明の実施形態に係る横矢板挿入機具を正面から視た図である。
【図２】本発明の実施形態に係る横矢板挿入機具を正面から視た図である。
【図３】本発明の実施形態に係る横矢板挿入機具を正面から視た図である。
【図４】本発明の実施形態に係る横矢板挿入機具を正面から視た図である。
【図５】本発明の実施形態に係る横矢板挿入機具を正面から視た図である。
【発明を実施するための形態】
【０００９】
横矢板挿入機具1は、山留め工事において、互いに隣接する一対の縦字100の間に挿入された横矢板200を押し下げる、垂直方向に延びて横矢板200の前面側に配置される―対の前部材10と、垂直方向に延びて、横矢板200の裏面側に配置され、水平方向において、―対の前部材10の間に配置される後部材20と、―対の前部材10及び後部材20の下端から上方に所定寸法離れた位置において水平方向に延び、―対の前部材10及び後部材20の間に配置され、―対の前部材10及び後部材20に固定された横部材30と、を備え、―対の前部材10と後部材20との間に複数の横矢板200が挿入され、一番上の横矢板200の天端に横部材30が当接する。                                                                            
【００１０】
また、前部材10の上端側の部材には、油圧ショベル300のバケットに引っ掛けることができるフック50が設けられている。    
【００１１】
次に、横矢板挿入機具1の使用方法について、図3〜図5を用いて説明する。                                                                                                                                                              まず、図3に示すように、1〜2ｍ掘削した後に、横矢板200を2〜3枚、縦字100の間に挿入する。次に挿入した横矢板200上から、この横矢板200が前部材10と後部材20との間にくるように、横矢板挿入機具1を挿入する。  次に、図4に示すように、更に1〜2ｍ掘削し、例えば、横矢板挿入機具1を油圧ショベル300で掘削したレベルまで押し込む。これより、横部材30に、一番上の横矢板200の天端が当接し2〜3枚の横矢板200をまとめて、押し込むことができる。そして、次に図5に示すようにフック50に油圧ショベル300のバケットを引き掛け、横矢板挿入機具のみを引き抜く。
【符号の説明】
【００１２】
1横矢板挿入機具                   
20後部材   
30横部材                                                                    40縦補強部材            
50フック  
60ガイド                       
100縦字                                200横矢板
300油圧ショベル  
【図１】
2016156157.tif 000003
【図２】
2016156157.tif 000004
【図３】
2016156157.tif 000005
【図４】
2016156157.tif 000006
【図５】
2016156157.tif 000007